(57)【要約】  信号処理回路の特徴を効果的に利用したデジタルスピーカーシステムを構築する。  複数のスピーカーを備えるデジタルスピーカーシステム１は、複数の右音声用デジタル信号、及び、複数の左音声用デジタル信号を出力する信号処理回路１０を備え、複数のスピーカーのうち、少なくとも１つのスピーカーを、信号処理回路１０により出力される１又は複数の任意の右音声用デジタル信号、及び、当該信号の数に対応する数の任意の左音声用デジタル信号が入力されてモノラル音声を出力するモノラル音声用スピーカー２として機能させる。
2014083981.tif 000002
【特許請求の範囲】
【請求項１】
複数のスピーカーを備えるデジタルスピーカーシステムにおいて、
複数の右音声用デジタル信号、及び、複数の左音声用デジタル信号を出力する信号処理回路を備え、
複数の前記スピーカーのうち、少なくとも１つの前記スピーカーを、前記信号処理回路により出力される１又は複数の任意の右音声用デジタル信号、及び、当該信号の数に対応する数の任意の左音声用デジタル信号が入力されてモノラル音声を出力するモノラル音声用スピーカーとして機能させることを特徴とするデジタルスピーカーシステム。
【請求項２】
前記モノラル音声用スピーカーに入力されていない１又は複数の右音声用デジタル信号が入力されて右音声を出力する右音声用スピーカーと、
前記モノラル音声用スピーカーに入力されていない１又は複数の左音声用デジタル信号が入力されて左音声を出力する左音声用スピーカーと、
をさらに備えることを特徴とする請求項１に記載のデジタルスピーカーシステム。
【請求項３】
前記スピーカーのそれぞれに入力されるデジタル信号の数が同一となる構成とした上で、前記スピーカーのそれぞれを同一種類のものによって構成したことを特徴とする請求項１又は２に記載のデジタルスピーカーシステム。
【請求項４】
複数のスピーカーと、複数の右音声用デジタル信号、及び、複数の左音声用デジタル信号を出力する信号処理回路と、を備えるデジタルスピーカーシステムの結線方法において、
複数の前記スピーカーのうち、少なくとも１つの前記スピーカーに、前記信号処理回路により出力される１又は複数の任意の右音声用デジタル信号、及び、当該信号の数に対応する数の任意の左音声用デジタル信号を入力して、モノラル音声を出力することを特徴とするデジタルスピーカーシステムの結線方法。
【請求項５】
モノラル音声を出力する前記スピーカー以外の前記スピーカーに、１又は複数の右音声用デジタル信号を入力して、右音声を出力させ、
モノラル音声を出力する前記スピーカー以外、且つ、右音声を出力する前記スピーカー以外の前記スピーカーに、１又は複数の左音声用デジタル信号を入力して、左音声を出力させることを特徴とする請求項４に記載のデジタルスピーカーシステムの結線方法。
【発明の詳細な説明】
【技術分野】
【０００１】
本発明は、デジタル信号が入力されるデジタルスピーカーを含んで構成されるデジタルスピーカーシステム、及び、当該デジタルスピーカーシステムの結線方法に関する。
【背景技術】
【０００２】
従来、信号処理回路（駆動回路）から入力されたデジタル信号に基づいて駆動するデジタルスピーカーが提案されている（例えば、特許文献１参照）。
【先行技術文献】
【特許文献】
【０００３】
【特許文献１】特開２０１０−２８７８５号公報
【発明の概要】
【発明が解決しようとする課題】
【０００４】
ここで、上述したデジタルスピーカーに使用される信号処理回路には、オーディオ装置等の音源から入力されたデジタル音声信号に所定のデジタル処理を施すことによって、右音声用デジタル信号、及び、左音声用デジタル信号について、それぞれ多チャンネル（例えば、３チャンネルずつ）の信号を生成し、出力可能であるという特徴がある。そして、信号処理回路のこのような特徴を効果的に利用してデジタルスピーカーシステムを構築したいとするニーズがある。
本発明は、上述した事情に鑑みてなされたものであり、信号処理回路の特徴を効果的に利用したデジタルスピーカーシステムを構築し、また、デジタルスピーカーシステムの結線方法を提供することを目的とする。
【課題を解決するための手段】
【０００５】
上記目的を達成するために、本発明は、複数のスピーカーを備えるスピーカーシステムにおいて、複数の右音声用デジタル信号、及び、複数の左音声用デジタル信号を出力する信号処理回路を備え、複数の前記スピーカーのうち、少なくとも１つの前記スピーカーを、前記信号処理回路により出力される１又は複数の任意の右音声用デジタル信号、及び、当該信号の数に対応する数の任意の左音声用デジタル信号が入力されてモノラル音声を出力するモノラル音声用スピーカーとして機能させることを特徴とする。【０００６】
また、本発明は、前記モノラル音声用スピーカーに入力されていない１又は複数の右音声用デジタル信号が入力されて右音声を出力する右音声用スピーカーと、前記モノラル音声用スピーカーに入力されていない１又は複数の左音声用デジタル信号が入力されて左音声を出力する左音声用スピーカーと、をさらに備えることを特徴とする。【０００７】
また、本発明は、前記スピーカーのそれぞれに入力されるデジタル信号の数が同一となる構成とした上で、前記スピーカーのそれぞれを同一種類のものによって構成したことを特徴とする。【０００８】
また、本発明は、複数のスピーカーと、複数の右音声用デジタル信号、及び、複数の左音声用デジタル信号を出力する信号処理回路と、を備えるスピーカーシステムの結線方法において、複数の前記スピーカーのうち、少なくとも１つの前記スピーカーに、前記信号処理回路により出力される１又は複数の任意の右音声用デジタル信号、及び、当該信号の数に対応する数の任意の左音声用デジタル信号を入力して、モノラル音声を出力することを特徴とする。【０００９】
また、本発明は、モノラル音声を出力する前記スピーカー以外の前記スピーカーに、１又は複数の右音声用デジタル信号を入力して、右音声を出力させ、モノラル音声を出力する前記スピーカー以外、且つ、右音声を出力する前記スピーカー以外の前記スピーカーに、１又は複数の左音声用デジタル信号を入力して、左音声を出力させることを特徴とする。
【発明の効果】
【００１０】
本発明によれば、信号処理回路の特徴を効果的に利用してデジタルスピーカーシステムを構築でき、また、デジタルスピーカーシステムの結線方法を提供することができる。
【図面の簡単な説明】
【００１１】
【図１】本実施形態に係るデジタルスピーカー１１の構成を示す図である。
【図２】従来のアナログスピーカーシステムの説明に利用する図である。
【図３】デジタルスピーカーシステム１の構成を示す図である。
【図４】（Ａ）は例１に係るデジタルスピーカーシステムを示し、（Ｂ）は例２に係るデジタルスピーカーシステムを示す図である。
【図５】（Ａ）は例３に係るデジタルスピーカーシステムを示し、（Ｂ）は例４に係るデジタルスピーカーシステムを示す図である。
【図６】（Ａ）は例５に係るデジタルスピーカーシステムを示し、（Ｂ）は例６に係るデジタルスピーカーシステムを示す図である。
【発明を実施するための形態】
【００１２】
以下、図面を参照して本発明の実施形態について説明する。
図１は、本実施形態に係る信号処理回路１０の機能を説明するために、デジタルスピーカー１１の構成を説明に適した態様で模式的に示す図である。
デジタルスピーカー１１は、据置型、携帯型、又は、車載型の音楽プレーヤー、携帯電話、タブレット端末、その他の音源に、有線又は無線で接続されて、当該音源から入力されたデジタル音声信号に基づいて音声を出力するスピーカーである。
図１に示すように、デジタルスピーカー１１は、信号処理回路１０と、スピーカー本体１２と、を備えている。
信号処理回路１０には、図示せぬコネクターが設けられており、このコネクターには、音源からデジタル音声信号を入力するためのケーブルが接続される。
信号処理回路１０は、入力されたデジタル音声信号に対して所定の信号処理を施して、３チャンネル分の右音声用デジタル信号、及び、３チャンネル分の左音声用デジタル信号を生成し、出力する。
詳述すると、信号処理回路１０にはΔΣ変調回路、所定のフィルター回路等のデジタル回路が実装されており、信号処理回路１０は、これら回路の機能によって、入力されたデジタル音声信号に対して所定の標本化処理や、フィルタリング処理等の信号処理を施して、左右６チャンネル分のデジタル信号を生成する。そして、信号処理回路１０は、生成した左右６チャンネル分のデジタル信号を、チャンネルごとに設けられた６つのデジタルアンプ（不図示）によってそれぞれ増幅し、チャンネルごとに設けられた６つの信号ライン１５を介して出力する。なお、信号ライン１５のそれぞれは、物理的には、プラス、マイナスに対応する２本の信号伝送線（例えば、錦糸線）を有するが、説明の便宜を考慮して、図１における図示を省略すると共に、以下の説明においても詳細な説明は省略する。
【００１３】
スピーカー本体１２は、ボビン２０と、このボビン２０に支持された振動板２１とを備え、ボビン２０には、図示は省略するが、６層のボイスコイルが設けられており、各層のボイスコイルには、各チャンネルの信号ライン１５のそれぞれが電気的に接続されている。ボイスコイルは、例えば、ボビン２０の周方向に多層となるように重ねて設けられ、また例えば、ボビン２０の軸方向に層ごとに間隔を開けて設けられている。
デジタルスピーカー１１によって音声を出力する場合、音源からデジタル音声信号が信号処理回路１０に入力され、さらに、信号処理回路１０から各チャンネルの信号ライン１５を介してデジタル音声信号に基づく左右６チャンネル分のデジタル信号のそれぞれが駆動信号として各層のボイスコイルに入力される。そして、駆動信号としてのデジタル信号の入力に伴って、磁気ギャップに位置するボイスコイルが駆動し、このボイスコイルの駆動に伴って振動板２１が振動し、この振動に応じて音声が出力される。
【００１４】
このように、本実施形態に係る信号処理回路１０は、音源から入力されたデジタル音声信号に所定のデジタル処理を施すことによって、３チャンネル分の右音声用デジタル信号、及び、３チャンネル分の左音声用デジタル信号を生成し、出力可能であるという特徴がある。そして、後述するように、本実施形態では、この特徴を活用して、モノラル音声を出力するモノラル音声用スピーカー２、ステレオにおける右音声を出力する右音声用スピーカー３、及び、左音声を出力する左音声用スピーカー４（いずれも後述）を含んで構成されるデジタルスピーカーシステム１を適切に構築する。
以下、まず、従来のアナログスピーカーシステムを説明し、その課題を明らかにした上で、本実施形態に係るデジタルスピーカーシステム１を説明する。
【００１５】
図２は、従来のアナログスピーカーシステムの説明に利用する図であり、（Ａ）は、右チャンネル用の右スピーカーＱ３、及び、左チャンネル用の左スピーカーＱ４を備える一般的なステレオ再生用のアナログスピーカーシステムである第１アナログスピーカーシステムＱ１を示し、（Ｂ）は、図２（Ａ）が示す第１アナログスピーカーシステムＱ１にセンタースピーカーＱ５を追加することによって構築した第２アナログスピーカーシステムＱ２を示している。
図２（Ａ）に示すように、第１アナログスピーカーシステムＱ１は、アナログアンプＱ６を備えており、右チャンネルのアナログ音声信号が当該アンプによって増幅され右スピーカーＱ３に出力されて当該スピーカーから右用の音声が出力され、同様に、左チャンネルのアナログ音声信号が当該アンプによって増幅され左スピーカーＱ４に出力されて当該スピーカーから左用の音声が出力されることにより、ステレオ再生が実現される。
【００１６】
このような第１アナログスピーカーシステムＱ１に、図２（Ｂ）に示すように、センタースピーカーＱ５を追加して、センター、及び、左右のスピーカーを備えるスピーカーシステムを構築する場合を考える。
この場合、図２（Ｂ）に示すように、アナログアンプＱ６と右スピーカーＱ３とを結ぶ信号ラインを分岐してセンタースピーカーＱ５の１の端子に接続すると共に、アナログアンプＱ６と左スピーカーＱ４とを結ぶ信号ラインを分岐してセンタースピーカーＱ５の他の端子に接続することが考えられる。このようにして、センター、及び、左右のスピーカーを備えるスピーカーシステムを構築可能であるものの、このような場合、以下のような課題がある。
すなわち、上記構成の場合、センタースピーカーＱ５において、右チャンネルのアナログ音声信号と、左チャンネルのアナログ音声信号とがダイレクトに合成されるため、信号の歪みが増幅されてしまう可能性がある。
また、センタースピーカーＱ５の専用のアンプがないため、センタースピーカーＱ５の音圧を独自にレベル調整することが不可能である。この課題を解決するために、センタースピーカーＱ５専用のアンプを設けた場合、プリアンプでセンターチャンネルのアナログ音声信号を生成した上で、当該専用のアンプを介してセンターチャンネルのアナログ音声信号をセンタースピーカーＱ５に出力する必要が生じ、回路規模が大きくなってしまう。
【００１７】
本実施形態では、信号処理回路１０の特徴を効果的に利用して、以上説明したような従来の課題を解決した上で、センター、及び、左右のスピーカーを備えるスピーカーシステムを構築し、定位改善、及び、音声の解像度の改善を図っている。
【００１８】
図３は、本実施形態に係るデジタルスピーカーシステム１の構成を模式的に示す図である。
図３に示すように、デジタルスピーカーシステム１は、センター、及び、左右のスピーカーを備えるスピーカーシステムであり、モノラル音声用スピーカー２（センタースピーカーＱ５に対応するスピーカー）、右音声用スピーカー３（右スピーカーＱ３に対応するスピーカー）、及び、左音声用スピーカー４（左スピーカーＱ４に対応するスピーカー）を含んで構成されている。
図３に示すように、モノラル音声用スピーカー２は、３チャンネル分の右音声用デジタル信号のうち任意の１つの右音声用デジタル信号が入力されると共に、３チャンネル分の左音声用デジタル信号のうち任意の１つの左音声用デジタル信号が入力される構成となっている。
このように、本実施形態に係るデジタルスピーカーシステム１では、信号処理回路１０が多チャンネル（複数）の右音声用デジタル信号、及び、多チャンネル（複数）の左音声用デジタル信号を生成し、出力することに着目して、１又は複数（本例では、１つ）の任意の右音声用デジタル信号、及び、当該信号の数に対応する数（本例では、１つ）の任意の左音声用デジタル信号をモノラル音声用スピーカー２に入力し、これにより、モノラル音声用スピーカー２によるモノラル音声の出力を実現している。
このような構成とすることにより、以下の効果を奏することができる。
すなわち、モノラル音声用スピーカー２に入力される左右のデジタル音声信号のそれぞれは、図１を用いて説明したとおり、ボビン２０に設けられた多層のボイスコイルのいずれかにそれぞれ入力されて合成されることを想定して生成されたデジタル音声信号である。このため、左右のデジタル音声信号のそれぞれについて、特性ばらつきが少なく、各信号を合成したときの歪みが少ない。特に、右チャンネルのアナログ音声信号と、左チャンネルアナログ音声信号とを合成した場合と比較して、歪みの少なさは顕著である。
さらに、上述したとおり、信号処理回路１０には、チャンネルごとに（＝出力されるデジタル音声信号ごとに）デジタルアンプが設けられている。このため、デジタルスピーカーシステム１では、従来の第２アナログスピーカーシステムＱ２のように専用のプリアンプ、及び、アンプを設けることなく、モノラル音声用スピーカー２の音圧を独自にレベル調整することができる。すなわち、デジタルスピーカーシステム１では、信号処理回路１０に既設されたデジタルアンプを活用して、回路規模を大きくすることなく、モノラル音声用スピーカー２の音圧調整が可能である。
【００１９】
また、図３に示すように、右音声用スピーカー３には、モノラル音声用スピーカー２に入力されていない２つの右音声用デジタル信号が入力される構成となっている。このような構成の下、右音声用スピーカー３には、右音声用デジタル信号のみが入力されて、適切に右用の音声が出力される。すなわち、本実施形態に係るデジタルスピーカーシステム１では、信号処理回路１０が多チャンネル（複数）の右音声用デジタル信号、及び、多チャンネル（複数）の左音声用デジタル信号を生成し、出力することに着目して、モノラル音声用スピーカー２に入力しない右音声用デジタル信号を右音声用スピーカー３に入力させることにより、右音声用スピーカー３による右用の音声の出力を実現している。
同様に、左音声用スピーカー４には、モノラル音声用スピーカー２に入力されていない２つの左音声用デジタル信号が入力される構成となっている。当該構成に基づく効果は、右音声用スピーカー３における効果と同様である。
【００２０】
また、図３に示すように、本実施形態に係るデジタルスピーカーシステム１では、当該システムを構成する３つのスピーカー（モノラル音声用スピーカー２、右音声用スピーカー３、及び、左音声用スピーカー４）のそれぞれについて、２チャンネル分のデジタル音声信号が入力される構成となっている。当該構成により、以下の効果を奏する。
すなわち、デジタルスピーカーシステム１を構成するスピーカーのそれぞれについて、入力されるデジタル音声信号のチャンネルの数を同一とすることにより、スピーカーのそれぞれについて入力端子の数を同一とすることができ、スピーカーのそれぞれを同一種類のものとすることができる。このため、デジタルスピーカーシステム１の構築にあたり、別種類のスピーカーであって適切なものを個数分準備することなく、同一種類のスピーカーを必要な個数分準備すれば足り、構築容易性の向上、部品種類の低減、及び、製造コストの削減を実現できる。
特に、本実施形態では、デジタルスピーカーシステム１を構成する３つのスピーカーのそれぞれは、２チャンネル分のデジタル音声信号が入力される構成となっている。このため、デジタルスピーカーシステム１を構成する３つのスピーカーとして、一般に普及している２つの入力端子を有するアナログスピーカーを適用することができ、より一層の構築容易性の向上、部品種類の低減、及び、製造コストの削減を実現できる。
【００２１】
以上説明したように、本実施形態では、デジタルスピーカーシステム１は、複数の右音声用デジタル信号、及び、複数の左音声用デジタル信号を出力する信号処理回路１０と、信号処理回路１０により出力される１又は複数の任意の右音声用デジタル信号、及び、当該信号の数に対応する数の任意の左音声用デジタル信号が入力されてモノラル音声を出力するモノラル音声用スピーカー２と、を備えている。
すなわち、このような構成となるよう、信号処理回路１０と、モノラル音声用スピーカー２、右音声用スピーカー３、及び、左音声用スピーカー４とが、適切な方法にて結線されている。
この構成によれば、音源から入力されたデジタル音声信号に所定のデジタル処理を施すことによって、３チャンネル分の右音声用デジタル信号、及び、３チャンネル分の左音声用デジタル信号を生成し、出力可能であるという信号処理回路１０の特徴を活用して、回路基板を大きくすることなく、独自に音圧のレベル調整が可能なモノラル音声用のスピーカーを有するスピーカーシステムの構築を実現することが可能である。
【００２２】
また、本実施形態に係るデジタルスピーカーシステム１は、モノラル音声用スピーカー２に入力されていない１又は複数の右音声用デジタル信号が入力されて右音声を出力する右音声用スピーカー３と、モノラル音声用スピーカーに入力されていない１又は複数の左音声用デジタル信号が入力されて左音声を出力する左音声用スピーカー４と、をさらに備えている。
この構成によれば、信号処理回路１０の特徴を利用して、モノラル音声用スピーカー２のほか、右用の音声を適切に出力する右用のスピーカー、及び、左用の音声を適切に出力する左用のスピーカーを有するスピーカーシステムの構築を実現することが可能である。
【００２３】
また、本実施形態では、デジタルスピーカーシステム１を構成するスピーカーのそれぞれに入力されるデジタル音声信号の数が同一となる構成とした上で、スピーカーのそれぞれを同一種類のものによって構成している。
この構成によれば、デジタルスピーカーシステム１の構築にあたり、別種類のスピーカーであって適切なものを個数分準備することなく、同一種類のスピーカーを必要な個数分準備すれば足り、構築容易性の向上、部品種類の低減、及び、製造コストの削減を実現できる。
【００２４】
＜他の例＞
本願発明を応用することにより、定位改善、及び、解像度の改善が図られたスピーカーシステムを多種多様に構築可能である。以下、具体例を挙げて本願発明が適用されたスピーカーシステムについて説明する。
【００２５】
＜例１＞
図４（Ａ）は、例１のデジタルスピーカーシステム１ａの構成を示す図である。
この例１に係る信号処理回路１０ａは、上述した実施形態と同様、３チャンネル分の右音声用デジタル信号、及び、３チャンネル分の左音声用デジタル信号を生成し、出力する。そして、デジタルスピーカーシステム１ａは、３つのモノラル音声用スピーカー２１ａ〜２３ａを備えており、３つのスピーカーのそれぞれに、１チャンネル分の右音声用デジタル信号、及び、１チャンネル分の左音声用デジタル信号が入力される構成となっている。
このような構成の下、デジタルスピーカーシステム１ａを構成する３つのスピーカーのそれぞれは、右音声用デジタル信号、及び、左音声用デジタル信号に基づいて駆動するモノラル音声用のスピーカーとして機能する。
この例１のデジタルスピーカーシステム１ａの構成によれば、３チャンネル分の右音声用デジタル信号、及び、３チャンネル分の左音声用デジタル信号を出力可能であるという信号処理回路１０ａの特徴を活用して、回路基板を大きくすることなく、独自に音圧のレベル調整が可能な３つのモノラル音声用のスピーカーを有するスピーカーシステムの構築を実現することが可能である。
【００２６】
＜例２＞
図４（Ｂ）は、例２のデジタルスピーカーシステム１ｂの構成を示す図である。
この例２に係る信号処理回路１０ｂは、上述した実施形態と異なり、４チャンネル分の右音声用デジタル信号、及び、４チャンネル分の左音声用デジタル信号を生成し、出力する。そして、デジタルスピーカーシステム１ｂは、４つのモノラル音声用スピーカー２１ｂ〜２４ｂを備えており、４つのスピーカーのそれぞれに、１チャンネル分の右音声用デジタル信号、及び、１チャンネル分の左音声用デジタル信号が入力される構成となっている。
このような構成の下、デジタルスピーカーシステム１ｂを構成する４つのスピーカーのそれぞれは、右音声用デジタル信号、及び、左音声用デジタル信号に基づいて駆動するモノラル音声用のスピーカーとして機能する。
この例２のデジタルスピーカーシステム１ｂの構成によれば、４チャンネル分の右音声用デジタル信号、及び、４チャンネル分の左音声用デジタル信号を出力可能であるという信号処理回路１０ｂの特徴を活用して、回路基板を大きくすることなく、独自に音圧のレベル調整が可能な４つのモノラル音声用のスピーカーを有するスピーカーシステムの構築を実現することが可能である。
【００２７】
＜例３＞
図５（Ａ）は、例３のデジタルスピーカーシステム１ｃの構成を示す図である。
この例３に係る信号処理回路１０ｃは、上述した実施形態と異なり、４チャンネル分の右音声用デジタル信号、及び、４チャンネル分の左音声用デジタル信号を生成し、出力する。そして、デジタルスピーカーシステム１ｃは、モノラル音声用スピーカー２ｃ、右音声用スピーカー３ｃ、及び、左音声用スピーカー４ｃを備えている。モノラル音声用スピーカー２ｃには、１チャンネル分の右音声用デジタル信号、及び、１チャンネル分の左音声用デジタル信号が入力され、右音声用スピーカー３ｃには、３チャンネル分の右音声用デジタル信号が入力され、左音声用スピーカー４ｃには、３チャンネル分の左音声用デジタル信号が入力される構成となっている。
このような構成の下、デジタルスピーカーシステム１ｃを構成するモノラル音声用スピーカー２ｃは、右音声用デジタル信号、及び、左音声用デジタル信号に基づいて駆動するモノラル音声用のスピーカーとして機能し、右音声用スピーカー３ｃは、右音声用デジタル信号のみに基づいて駆動する右音声用のスピーカーとして機能し、左音声用スピーカー４ｃは、左音声用デジタル信号のみに基づいて駆動する左音声用のスピーカーとして機能する。
この例３のデジタルスピーカーシステム１ｃの構成によれば、４チャンネル分の右音声用デジタル信号、及び、４チャンネル分の左音声用デジタル信号を出力可能であるという信号処理回路１０ｃの特徴を活用して、回路基板を大きくすることなく、独自に音圧のレベル調整が可能なモノラル音声用のスピーカー、右音声用のスピーカー、及び、左音声用のスピーカーを有するスピーカーシステムの構築を実現することが可能である。
【００２８】
＜例４＞
図５（Ｂ）は、例４のデジタルスピーカーシステム１ｄの構成を示す図である。
この例４に係る信号処理回路１０ｄは、上述した実施形態と異なり、４チャンネル分の右音声用デジタル信号、及び、４チャンネル分の左音声用デジタル信号を生成し、出力する。そして、デジタルスピーカーシステム１ｄは、２つのモノラル音声用スピーカー２１ｄ、２２ｄ、右音声用スピーカー３ｄ、及び、左音声用スピーカー４ｄを備えている。２つのモノラル音声用スピーカー２１ｄ、２２ｄのそれぞれには、１チャンネル分の右音声用デジタル信号、及び、１チャンネル分の左音声用デジタル信号が入力され、右音声用スピーカー３ｄには、２チャンネル分の右音声用デジタル信号が入力され、左音声用スピーカー４ｄには、２チャンネル分の左音声用デジタル信号が入力される構成となっている。
このような構成の下、デジタルスピーカーシステム１ｄを構成する２つのモノラル音声用スピーカー２１ｄ、２２ｄのそれぞれは、右音声用デジタル信号、及び、左音声用デジタル信号に基づいて駆動するモノラル音声用のスピーカーとして機能し、右音声用スピーカー３ｄは、右音声用デジタル信号のみに基づいて駆動する右音声用のスピーカーとして機能し、左音声用スピーカー４ｄは、左音声用デジタル信号のみに基づいて駆動する左音声用のスピーカーとして機能する。
この例４のデジタルスピーカーシステム１ｄの構成によれば、４チャンネル分の右音声用デジタル信号、及び、４チャンネル分の左音声用デジタル信号を出力可能であるという信号処理回路１０ｄの特徴を活用して、回路基板を大きくすることなく、独自に音圧のレベル調整が可能な２つのモノラル音声用のスピーカー、右音声用のスピーカー、及び、左音声用のスピーカーを有するスピーカーシステムの構築を実現することが可能である。
【００２９】
＜例５＞
図６（Ａ）は、例５のデジタルスピーカーシステム１ｅの構成を示す図である。
この例５に係るデジタルスピーカーシステム１ｅは、２つの信号処理回路１０ｅｒ、ｅｌを備えており、これら２つの信号処理回路１０ｅｒ、ｅｌが協働して、「複数の右音声用デジタル信号、及び、複数の左音声用デジタル信号を出力する信号処理回路」として機能している。
信号処理回路１０ｅｒは、８チャンネル分の右音声用デジタル信号を生成し、出力し、一方、信号処理回路１０ｅｌは、８チャンネル分の左音声用デジタル信号を生成し、出力する。
そして、デジタルスピーカーシステム１ｅは、４つのモノラル音声用スピーカー２１ｅ〜２４ｅ、２つの右音声用スピーカー３１ｅ、３２ｅ、及び、２つの左音声用スピーカー４１ｅ、４２ｅを備えている。
４つのモノラル音声用スピーカー２１ｅ〜２４ｅのそれぞれには、１チャンネル分の右音声用デジタル信号、及び、１チャンネル分の左音声用デジタル信号が入力されている。すなわち、４つのモノラル音声用スピーカー２１ｅ〜２４ｅのそれぞれには、信号処理回路１０ｅｒの任意の１つの右音声用デジタル信号がそれぞれ入力されると共に、信号処理回路１０ｅｌの任意の１つの左音声用デジタル信号がそれぞれ入力される構成となっている。
２つの右音声用スピーカー３１ｅ、３２ｅのそれぞれには、信号処理回路１０ｅｒから出力される任意の２チャンネル分の右音声用デジタル信号がそれぞれ入力されている。また、２つの左音声用スピーカー４１ｅ、４２ｅのそれぞれには、信号処理回路１０ｅｌから出力される任意の２チャンネル分の左音声用デジタル信号がそれぞれ入力されている。
このような構成の下、デジタルスピーカーシステム１ｅを構成する４つのモノラル音声用スピーカー２１ｅ〜２４ｅのそれぞれは、右音声用デジタル信号、及び、左音声用デジタル信号に基づいて駆動するモノラル音声用のスピーカーとして機能し、２つの右音声用スピーカー３１ｅ、３２ｅのそれぞれは、右音声用デジタル信号のみに基づいて駆動する右音声用のスピーカーとして機能し、２つの左音声用スピーカー４１ｅ、４２ｅのそれぞれは、左音声用デジタル信号のみに基づいて駆動する左音声用のスピーカーとして機能する。
この例５のデジタルスピーカーシステム１ｅの構成によれば、８チャンネル分の右音声用デジタル信号を出力する信号処理回路１０ｅｒ、及び、８チャンネル分の左音声用デジタル信号を出力する信号処理回路１０ｅｌを備えるという特徴を活用して、回路基板を大きくすることなく、独自に音圧のレベル調整が可能な４つのモノラル音声用のスピーカー、２つの右音声用のスピーカー、及び、２つの左音声用のスピーカーを有するスピーカーシステムの構築を実現することが可能である。
【００３０】
＜例６＞
図６（Ｂ）は、例６のデジタルスピーカーシステム１ｆの構成を示す図である。
この例６に係るデジタルスピーカーシステム１ｆは、２つの信号処理回路１０ｆｒ、１０ｆｌを備えており、これら２つの信号処理回路１０ｆｒ、１０ｆｌが協働して、「複数の右音声用デジタル信号、及び、複数の左音声用デジタル信号を出力する信号処理回路」として機能している。
信号処理回路１０ｆｒは、６チャンネル分の右音声用デジタル信号を生成し、出力し、一方、信号処理回路１０ｆｌは、６チャンネル分の左音声用デジタル信号を生成し、出力する。
そして、デジタルスピーカーシステム１ｆは、２つのモノラル音声用スピーカー２１ｆ、２２ｆ、２つの右音声用スピーカー３１ｆ、３２ｆ、及び、２つの左音声用スピーカー４１ｆ、４２ｆを備えている。
２つのモノラル音声用スピーカー２１ｆ、２２ｆのそれぞれには、１チャンネル分の右音声用デジタル信号、及び、１チャンネル分の左音声用デジタル信号が入力されている。すなわち、２つのモノラル音声用スピーカー２１ｆ、２２ｆのそれぞれには、信号処理回路１０ｆｒの任意の１つの右音声用デジタル信号がそれぞれ入力されると共に、信号処理回路１０ｆｌの任意の１つの左音声用デジタル信号がそれぞれ入力される構成となっている。
２つの右音声用スピーカー３１ｆ、３２ｆのそれぞれには、信号処理回路１０ｆｒから出力される任意の２チャンネル分の右音声用デジタル信号がそれぞれ入力されている。また、２つの左音声用スピーカー４１ｆ、４２ｆのそれぞれには、信号処理回路１０ｆｌから出力される任意の２チャンネル分の左音声用デジタル信号がそれぞれ入力されている。
このような構成の下、デジタルスピーカーシステム１ｆを構成する２つのモノラル音声用スピーカー２１ｆ、２２ｆのそれぞれは、右音声用デジタル信号、及び、左音声用デジタル信号に基づいて駆動するモノラル音声用のスピーカーとして機能し、２つの右音声用スピーカー３１ｆ、３２ｆのそれぞれは、右音声用デジタル信号のみに基づいて駆動する右音声用のスピーカーとして機能し、２つの左音声用スピーカー４１ｆ、４２ｆのそれぞれは、左音声用デジタル信号のみに基づいて駆動する左音声用のスピーカーとして機能する。
この例６のデジタルスピーカーシステム１ｆの構成によれば、６チャンネル分の右音声用デジタル信号を出力する信号処理回路１０ｆｒ、及び、６チャンネル分の左音声用デジタル信号を出力する信号処理回路１０ｆｌを備えるという特徴を活用して、回路基板を大きくすることなく、独自に音圧のレベル調整が可能な２つのモノラル音声用のスピーカー、２つの右音声用のスピーカー、及び、２つの左音声用のスピーカーを有するスピーカーシステムの構築を実現することが可能である。
【００３１】
なお、上述した実施の形態は、あくまでも本発明の一態様を示すものであり、本発明の範囲内で任意に変形および応用が可能である。
例えば、上記では、スピーカーシステムの構成について、複数の例を挙げて具体的に説明したが、本願発明が適用されるスピーカーシステムの構成は、例を挙げて説明したものに限られないことは言うまでもない。すなわち、本願発明は、信号処理回路１０と同様の機能を有する回路を備えるスピーカーシステムについて、広く適用可能である。
また、上述した実施形態では、信号処理回路１０は、６チャンネルと８チャンネルの物を使用したが、本発明の範囲内であれば、信号処理回路１０のチャンネル数はいくつであってもよい。
【符号の説明】
【００３２】
１、１ａ、１ｂ、１ｃ、１ｄ、１ｅ、１ｆ  デジタルスピーカーシステム
２、２１ａ〜２３ａ、２１ｂ〜２４ｂ、２ｃ、２１ｄ、２２ｄ、２１ｅ〜２４ｅ、２１ｆ、２２ｆ  モノラル音声用スピーカー
３、３ｃ、３ｄ、３１ｅ、３２ｅ、３１ｆ、３２ｆ  右音声用スピーカー
４、４ｃ、４ｄ、４１ｅ、４２ｅ、４１ｆ、４２ｆ  左音声用スピーカー
１０、１０ａ、１０ｂ、１０ｃ、１０ｄ、１０ｅｒ、１０ｅｌ、１０ｆｒ、１０ｆｌ  信号処理回路
【図１】
2014083981.tif 000003
【図２】
2014083981.tif 000004
【図３】
2014083981.tif 000005
【図４】
2014083981.tif 000006
【図５】
2014083981.tif 000007
【図６】
2014083981.tif 000008
【国際調査報告】
2014083981.tif 000009
2014083981.tif 000010
2014083981.tif 000011
2014083981.tif 000012